(57)【要約】      （修正有）【課題】車載器に予め表記されている二者択一の文字、図形又は色と同一の二者択一の文字、図形又は色の情報を含む音声情報又はテキスト情報を生成し、生成された音声情報又はテキスト情報を指示応答コマンドとともに車載器に送信し得る路側無線装置を提供する。【解決手段】車載器２０から送信されるクライアント情報を無線通信により受信し、受信されたクライアント情報に基づいて生成される音声情報又はテキスト情報を車載器２０に送信する通信部と、受信されたクライアント情報に基づいて、車載器２０のインターフェイスに予め表記されている二者択一の文字、図形又は色と同一の二者択一の文字、図形又は色の情報を含む音声情報又はテキスト情報を生成し、生成された音声情報又はテキスト情報を指示応答コマンドとともに車載器２０に送信する制御部と、を備えた路側無線装置１０とする。【選択図】図１
2010152636.tif 000002
【特許請求の範囲】
【請求項１】
車載器から送信されるクライアント情報を無線通信により受信し、当該受信されたクライアント情報に基づいて生成される音声情報又はテキスト情報を指示応答コマンドとともに前記車載器に送信する通信部と、
前記受信されたクライアント情報に基づいて、前記車載器のインターフェイスに予め表記されている二者択一の文字、図形又は色と同一の二者択一の文字、図形又は色の情報を含む前記音声情報又は前記テキスト情報を生成する制御部と、
を備えた路側無線装置。
【請求項２】
前記二者択一の文字、図形又は色の情報と予め定められたコードとが対応付けられたテーブルを記憶する記憶部を更に備え、
前記制御部は、前記受信されたクライアント情報に含まれるサプリメントインフォ情報を解析して前記コードが含まれているか否か判断し、含まれている場合、前記記憶されているテーブルから前記コードに対応する二者択一の文字、図形又は色の情報を決定し、当該決定された二者択一の文字、図形又は色の情報を含む前記音声情報又は前記テキスト情報を生成する請求項１に記載の路側無線装置。
【請求項３】
前記記憶部は、各国の言語の前記テーブルを記憶し、
前記制御部は、前記受信されたクライアント情報に含まれるサプリメント情報を解析して前記コード及び前記車載器が設定している言語の情報が含まれているか否か判断し、含まれている場合、前記記憶されている各国の言語のテーブルから前記車載器が設定している言語のテーブルを決定するとともに当該決定されたテーブルから前記コードに対応する二者択一の文字、図形又は色の情報を決定し、当該決定された二者択一の文字、図形又は色の情報を含む前記音声情報又は前記テキスト情報を生成する請求項２に記載の路側無線装置。
【請求項４】
前記制御部は、前記受信されたクライアント情報に含まれるサプリメント情報を解析して複数の前記コードが含まれているか否か判断し、含まれている場合、前記記憶されているテーブルから複数の前記コードのうち何れか一のコードに対応する二者択一の文字、図形又は色の情報を決定し、当該決定された二者択一の文字、図形又は色の情報を含む前記音声情報又は前記テキスト情報を生成する請求項２又は３の何れか一項に記載の路側無線装置。
【請求項５】
前記制御部は、前記受信されたクライアント情報に含まれるサプリメント情報を解析して前記コード、前記車載器が設定している言語の情報、及び前記車載器が再生可能な言語の情報、が含まれているか否か判断し、含まれている場合、前記車載器が再生可能な言語の情報に基づいて、前記コードに対応する二者択一の文字、図形又は色の情報を前記車載器が設定している言語に変換し、当該変換された後の二者択一の文字、図形又は色の情報を含む前記音声情報又は前記テキスト情報を生成する請求項２〜４の何れか一項に記載の路側無線装置。
【請求項６】
前記二者択一の文字、図形又は色の情報は、「はい／いいえ」、「Ｙｅｓ／Ｎｏ」、「ＯＫ／ＮＧ」、「〇／×」、「１／２」、「Ａ／Ｂ」、「青色／赤色」のうち、何れかである請求項１〜５の何れか一項に記載の路側無線装置。
【請求項７】
クライアント情報を路側無線装置に無線通信により送信する車載器と、
前記車載器から送信されるクライアント情報を無線通信により受信し、当該受信されたクライアント情報に基づいて生成される音声情報又はテキスト情報を指示応答コマンドとともに前記車載器に送信する通信部と、前記受信されたクライアント情報に基づいて、前記車載器のインターフェイスに予め表記されている二者択一の文字、図形又は色と同一の二者択一の文字、図形又は色の情報を含む前記音声情報又は前記テキスト情報を生成する制御部と、を備えた路側無線装置と、
を含む通信システム。
【発明の詳細な説明】
【技術分野】
【０００１】
本発明は、路側無線装置及び通信システムに関する。
【背景技術】
【０００２】
近年、ＤＳＲＣ（Dedicated Short Range Communication）機能を有する車載器が普及しており、ＤＳＲＣによる各種サービスの提供について検討されている。
車載器は、道路上や駐車場等に予め点在して設置されている路側無線装置と狭域無線通信を行い、地域に密着した情報やサービスの提供を受けることが可能となる。
【０００３】
車載器は、ＤＳＲＣによる各種サービスの提供を受ける際、車載器に挿入されるＩＣクレジットカードで決済することが可能である。このとき、路側無線装置は車載器に対し、ＩＣクレジットカードにより決済するか否かの意思確認のコマンド（以下、「指示応答コマンド」）を音声情報（TTS: Text To Speech）又はテキスト情報とともに送信してユーザの意思を確認する。
【０００４】
特許文献１によれば、ＤＳＲＣによる各種サービスに対する決済において、ユーザにＩＣクレジットカードの利用意思を確認し得る決済システムが開示されている。
【特許文献１】特開２００５−１４１６３３号公報
【発明の開示】
【発明が解決しようとする課題】
【０００５】
しかし、特許文献１の決済システムでは、ユーザが利用意思を伝える際に混乱する場合が生じる。
具体的事例を下記の図９を参照して説明する。
【０００６】
図９に、車載器の外観構成図を示す。
図９に示すように、車載器のインターフェイス（意思確認のボタンＢＴ）に予め表記されている文字は、機種やメーカによってそれぞれ異なる。車載器Ａ１のボタンＢＴには、「Ｙｅｓ／Ｎｏ」、車載器Ａ２のボタンＢＴには「はい／いいえ」、車載器Ａ３のボタンＢＴには「〇／×」がそれぞれ予め表記されている。その他の表記として、「ＯＫ／ＮＧ」や「Ａ／Ｂ」等もある。
【０００７】
路側無線装置により「はい／いいえ」の文字を含む音声情報又はテキスト情報が指示応答コマンドとともに車載器Ａ１に送信された場合、車載器Ａ１は「はい／いいえ」の文字を含む音声情報を発話してユーザにボタンＢＴによる応答を促す。車載器Ａ１に表示部がある場合には、車載器Ａ１は「はい／いいえ」の文字を含むテキスト情報を画面上に表示してユーザに応答を促す。
【０００８】
具体的には、車載器Ａ１は「料金は４００円です。ＩＣクレジットカードで決済する場合は、『はい』のボタン、現金で精算する場合は、『いいえ』のボタンを押して下さい。」等を発話又はテキスト表示してユーザに応答を促す。
【０００９】
車載器Ａ１であれば、ボタンＢＴの表記と発話又はテキスト表示される二者択一の文字とが一致（この場合は「はい／いいえ」）するため、ユーザは混乱することなくボタンＢＴにより応答を行うことができる。
しかし車載器Ａ２又は車載器Ａ３では、ボタンＢＴの表記と発話等される二者択一の文字とが一致しないため、ユーザは何れのボタンＢＴを押下して応答すればよいか混乱する。
【００１０】
本発明の課題は、車載器に予め表記されている二者択一の文字、図形又は色と同一の二者択一の文字、図形又は色の情報を含む音声情報又はテキスト情報を生成し、生成された音声情報又はテキスト情報を指示応答コマンドとともに車載器に送信し得る路側無線装置を提供することである。
【課題を解決するための手段】
【００１１】
本発明によれば、
車載器から送信されるクライアント情報を無線通信により受信し、当該受信されたクライアント情報に基づいて生成される音声情報又はテキスト情報を指示応答コマンドとともに前記車載器に送信する通信部と、
前記受信されたクライアント情報に基づいて、前記車載器のインターフェイスに予め表記されている二者択一の文字、図形又は色と同一の二者択一の文字、図形又は色の情報を含む前記音声情報又は前記テキスト情報を生成する制御部と、
を備えた路側無線装置が提供される。
【００１２】
また、本発明によれば、
クライアント情報を路側無線装置に無線通信により送信する車載器と、
前記車載器から送信されるクライアント情報を無線通信により受信し、当該受信されたクライアント情報に基づいて生成される音声情報又はテキスト情報を指示応答コマンドとともに前記車載器に送信する通信部と、前記受信されたクライアント情報に基づいて、前記車載器のインターフェイスに予め表記されている二者択一の文字、図形又は色と同一の二者択一の文字、図形又は色の情報を含む前記音声情報又は前記テキスト情報を生成する制御部と、を備えた路側無線装置と、
を含む通信システムが提供される。
【発明の効果】
【００１３】
本発明によれば、路側無線装置は、車載器に予め表記されている二者択一の文字、図形又は色と同一の二者択一の文字、図形又は色の情報を含む音声情報又はテキスト情報を生成することができ、生成した音声情報又はテキスト情報を指示応答コマンドとともに車載器に送信することができる。
音声情報又はテキスト情報を受信した車載器では、予め表記されている二者択一の文字、図形又は色と同一の二者択一の文字、図形又は色の情報を発話することができ、又は表示することができるため、応答に際してユーザの混乱を解消することができる。
【発明を実施するための最良の形態】
【００１４】
図１に、通信システム１００を示す。
通信システム１００は、路側無線装置１０と車載器２０とから構成される。
路側無線装置１０は、本体装置１０ａ及びアンテナ１０ｂから構成されている。
路側無線装置１０は、道路脇や道路上方に設置されたアンテナ１０ｂから、到達距離が限定されたＤＳＲＣの電波を放射して、路側無線装置１０の近傍にエリアＺを形成する。路側無線装置１０は、エリアＺ内にある車両Ｃの車載器２０とだけ双方向の狭域無線通信が可能となる。
【００１５】
ＤＳＲＣは５．８GHz帯域の電波を使った通信方式であり、その通信範囲は数メートルから数十メートルである。路側無線装置１０からのＤＳＲＣの送信出力は何れも同じ程度に設定されているので、複数の路側無線装置１０がそれぞれ形成するエリアＺは設置場所に関係なくほぼ一定である。
【００１６】
本体装置１０ａは、アンテナ１０ｂを介して車載器２０から送信される各種情報を受信し、受信した各種情報に基づいて車載器２０に必要な音声情報やテキスト情報を生成する。本体装置１０ａはアンテナ１０ｂを介して、生成した音声情報やテキスト情報を車載器２０に送信する。
なお、本実施形態における音声情報（TTS: Text To Speech）は、具体的には電子情報技術産業協会規格（JEITA TT-6004「ＩＴＳ車載器用音声合成記号」）に準拠する音声合成記号である。
【００１７】
図２に、路側無線装置１０の内部構成図を示す。
路側無線装置１０は本体装置１０ａ及びアンテナ１０ｂを備え、本体装置１０ａは、制御部１１、入力部１２、表示部１３、記憶部１４、通信部１５等を備えて構成される。各部はバス１６で接続され、アンテナ１０ｂは通信部１５と接続される。
【００１８】
制御部１１は、図示しないＣＰＵ、ＲＡＭ等から構成され、記憶部１４に記憶された制御プログラムとの協働により各種演算を行う他、各部の集中制御を行う。
【００１９】
入力部１２は、キーボード等を備えて操作入力を受け付け、受け付けた操作入力に応じた操作信号を制御部１１に出力する。
【００２０】
表示部１３はディスプレイを備え、制御部１１の表示制御に従ってディスプレイ上に各種画面を表示する。
【００２１】
記憶部１４は、制御部１１により実行されるプログラムの他、プログラムの実行に必要な各種情報を記憶する。各種情報には、例えば車載器２０に送信すべき音声情報やテキスト情報、ユーザに意思確認を促す指示応答コマンド等が含まれる。
また、記憶部１４は、二者択一の文字、図形又は色の情報と予め定められたコードとが対応付けられたテーブルを記憶する。
【００２２】
図３に、テーブルＴ１及びＴ２の一例を示す。
テーブルＴ１は、予め定められたコードと二者択一の文字、図形又は色とが対応付けられたテーブルである。また、テーブルＴ２は０又は１で表現されたコードと二者択一の文字、図形又は色とが対応付けられたテーブルである。
テーブルＴ１又はＴ２は、少なくとも一方が記憶部１４により記憶されており、二者択一の文字、図形又は色の情報を含む音声情報又はテキスト情報を生成する際に用いられる。このときの処理については、図５〜図８を参照して後述する。
【００２３】
図２に戻り、通信部１５は、アンテナ１０ｂに接続され、車載器２０から送信されるクライアント情報を受信する。
【００２４】
図４に、クライアント情報の一例を示す。
クライアント情報とは、車載器２０のプロファイルの情報である。クライアント情報により、路側無線装置１０は、車載器２０側で音声情報又はテキスト情報を再生（発話又は表示）可能か否か、再生可能なデータ形式は何か、車載器２０のボタンＢＴ（図９参照）に表記されている二者択一の文字、図形又は色等を認識することができる。
【００２５】
クライアント情報に含まれるサプリメントインフォ情報は、（１）車載器２０のボタンＢＴに予め表記されている二者択一の文字、図形又は色を示すコード、（２）車載器２０が設定している言語の情報、（３）車載器２０が再生可能な言語の情報等が含まれる。
【００２６】
上記（１）の「車載器２０のボタンＢＴに予め表記されている二者択一の文字、図形又は色を示すコード」とは、例えば車載器２０が備える意思確認のボタンＢＴ（図９参照）に予め「はい／いいえ」の文字が表記されている場合、「０」である（図３：テーブルＴ１参照）。
また、「はい／いいえ」の文字が表記されているボタンの色が「青色／赤色」である場合、コードは「１０００００１０」である（図３：テーブルＴ２参照）。
【００２７】
上記（２）の「車載器２０が設定している言語の情報」とは、日本語、英語、ドイツ語、フランス語等の各国の言語のうち、クライアント情報の送信時点で車載器２０が設定している言語の情報である。
【００２８】
上記（３）の「車載器２０が再生可能な言語の情報」とは、車載器２０が再生可能な各国の言語を示す情報であって、各国の言語には例えば日本語、英語、ドイツ語、フランス語等が含まれる。
【００２９】
また、通信部１５は、受信したクライアント情報に含まれるサプリメント情報に基づいて生成された音声情報又はテキスト情報を車載器２０に送信する。
【００３０】
図５〜図８を参照して、路側無線装置の送受信処理を説明する。
図５に、路側無線装置の送受信処理を示す。
前提として、車載器２０は図示しない記憶部にクライアント情報を記憶しており、車載器２０を搭載した車両Ｃが路側無線装置１０と狭域無線通信の可能なエリアＺに進入してきたものとする。
【００３１】
制御部１１は、車載器２０から送信されるクライアント情報をアンテナ１０ｂ及び通信部１５により受信する（ステップＳ１）。
【００３２】
制御部１１は、クライアント情報に含まれるサプリメントインフォ情報を解析して（ステップＳ２）、車載器２０のボタンＢＴに予め表記されている二者択一の文字、図形又は色を示すコードがあるか否か判断する（ステップＳ３）。
なお、二者択一の文字、図形又は色を示すコードとは、具体的には「１０００００００」や「１」等のコードである（図３参照）。
【００３３】
クライアント情報に二者択一の文字、図形又は色を示すコードがない場合（ステップＳ３；Ｎ）、制御部１１は、デフォルトとして予め定められた二者択一の文字、図形又は色の情報を含む音声情報又はテキスト情報を指示応答コマンドとともに車載器２０に送信して（ステップＳ４）、送受信処理を終了する。
【００３４】
なお、ステップＳ４で送信される音声情報又はテキスト情報は、例えば「料金は４００円です。ＩＣクレジットカードで決済する場合は、『はい』のボタン、現金で精算する場合は、『いいえ』のボタンを押して下さい。」となる。この場合、デフォルトとして予め定められた二者択一の文字は「はい／いいえ」であり、デフォルトのコードは「１０００００００」（図３：テーブルＴ２参照）である。
【００３５】
クライアント情報に含まれるサプリメントインフォ情報に二者択一の文字、図形又は色を示すコードがある場合（ステップＳ３；Ｙ）、制御部１１は、車載器２０のボタンＢＴに表記されている二者択一の文字、図形又は色の情報を含む音声情報又はテキスト情報を生成する処理を行う（ステップＳ５）。
制御部１１は、音声情報又はテキスト情報の生成処理（ステップＳ５）を行った後、生成した音声情報又はテキスト情報を指示応答コマンドとともに車載器２０に送信して（ステップＳ６）、送受信処理を終了する。
【００３６】
なお、ステップＳ５で生成される音声情報又はテキスト情報は、例えば「料金は４００円です。ＩＣクレジットカードで決済する場合は、『〇』のボタン、現金で精算する場合は、『×』のボタンを押して下さい。」となる。この場合、車載器２０のボタンＢＴに表記されている二者択一の図形は「〇／×」であり（図９：Ａ３参照）、車載器２０から受信したサプリメントインフォ情報に含まれるコードは「３」（図３：テーブルＴ１参照）である。
【００３７】
以下、ステップＳ５で行う音声情報又はテキスト情報の生成処理について、図６〜図８を参照して詳細に説明する。
【００３８】
図６に、音声情報又はテキスト情報の生成処理（１）を示す。
制御部１１は、二者択一の文字、図形又は色を示すコードを解析する（ステップＳ５１）。
制御部１１は、解析結果として検出したコードと同じコードがテーブルＴ１又はＴ２にあるか否か判断する（ステップＳ５２）。
【００３９】
同じコードがない場合（ステップＳ５２；Ｎ）、制御部１１は、デフォルトとして予め定められた二者択一の文字、図形又は色の情報を含む音声情報又はテキスト情報を生成して（ステップＳ５３）、音声情報又はテキスト情報の生成処理（１）を終了する。
【００４０】
なお、ステップＳ５２で生成される音声情報又はテキスト情報は、例えばステップＳ４で送信される音声情報又はテキスト情報と同様である。
【００４１】
同じコードがある場合（ステップＳ５２；Ｙ）、制御部１１は、コードに対応する二者択一の文字、図形又は色の情報を含む音声情報又はテキスト情報を生成して（ステップＳ５４）、音声情報又はテキスト情報の生成処理（１）を終了する。
【００４２】
なお、ステップＳ５４で生成される音声情報又はテキスト情報は、例えばステップＳ５で送信される音声情報又はテキスト情報と同様である。
【００４３】
図７に、音声情報又はテキスト情報の生成処理（２）を示す。
図７に示す処理は、図６に示す処理と異なり、路側無線装置１０が各国の言語ごとにテーブルＴ１又はＴ２を記憶部１４に記憶していることを前提とする。図３に示すテーブルＴ１又はＴ２は日本語のテーブルであり、図７に示す処理では日本語の他、英語やドイツ語のテーブルＴ１又はＴ２を記憶部１４に記憶している。
また、二者択一の文字、図形又は色を示すコードとともに、車載器２０が設定している言語の情報も受信していることを前提とする。
【００４４】
制御部１１は、（１）二者択一の文字、図形又は色を示すコード及び（２）車載器２０が設定している言語を解析する（ステップＳ５１ａ）。
【００４５】
制御部１１は、車載器２０が設定している言語のテーブルＴ１又はＴ２に、二者択一の文字、図形又は色を示すコードと同じコードがあるか否か判断する（ステップＳ５２ａ）。
【００４６】
車載器２０が設定している言語のテーブルＴ１又はＴ２が記憶部１４に記憶されていない場合（ステップＳ５２ａ；Ｎ）、制御部１１は、デフォルトとして予め定められた言語で、予め定められた二者択一の文字、図形又は色の情報を含む音声情報又はテキスト情報を生成し（ステップＳ５３ａ）、音声情報又はテキスト情報の生成処理（２）を終了する。
【００４７】
車載器２０が設定している言語のテーブルＴ１又はＴ２が記憶部１４に記憶されている場合であっても、二者択一の文字、図形又は色を示すコードと同じコードがない場合も同様に、ステップＳ５３ａの処理を行った後、音声情報又はテキスト情報の生成処理（２）を終了する。
【００４８】
ステップＳ５３ａで生成される音声情報又はテキスト情報は、例えばステップＳ４で送信される音声情報又はテキスト情報と同様である。
【００４９】
車載器２０が設定している言語のテーブルＴ１又はＴ２が記憶部１４に記憶されており、かつ二者択一の文字、図形又は色を示すコードと同じコードがある場合（ステップＳ５２ａ；Ｙ）、制御部１１は、ステップＳ５４ａに移行する。
制御部１１は、コードに対応する二者択一の文字、図形又は色の情報を含む音声情報又はテキスト情報を生成して（ステップＳ５４ａ）、音声情報又はテキスト情報の生成処理（２）を終了する。
【００５０】
ステップＳ５４ａで生成される音声情報又はテキスト情報は、例えばステップＳ５４で生成される音声情報又はテキスト情報と同様である。
【００５１】
図８に、音声情報又はテキスト情報の生成処理（３）を示す。
図８に示す処理は、図６に示す処理と異なり、二者択一の文字、図形又は色を示すコードとともに、車載器２０が設定している言語の情報及び車載器２０が再生可能な言語の情報も受信していることを前提とする。
【００５２】
制御部１１は、（１）二者択一の文字、図形又は色を示すコード、（２）車載器２０が設定している言語、（３）車載器２０が再生可能な言語、を解析する（ステップＳ５１ｂ）。
【００５３】
制御部１１は、二者択一の文字、図形又は色を示すコードが複数あるか否か判断する（ステップＳ５２ｂ）。
複数ない場合（ステップＳ５２ｂ；Ｎ）、制御部１１は、車載器２０から受信した二者択一の文字、図形又は色を示すコードは車載器２０が設定している言語に変換可能なコードであるか否か判断する（ステップＳ５３ｂ）。
【００５４】
「車載器２０が設定している言語に変換可能なコード」とは、例えば「青／赤」を示すコード「６」や、「１／２」を示すコード「４」である（図３：テーブルＴ１参照）。
つまり、車載器２０が日本語で「青／赤」と発話しても、英語で「Ｂｌｕｅ／Ｒｅｄ」と発話しても、ボタンＢＴが青色と赤色で構成されている場合にはユーザは押すべきボタンＢＴを取り違えることはなく混乱は生じない。
【００５５】
一方、「はい／いいえ」を示すコード「０」（図３：テーブルＴ１参照）は、変換可能なコードではない。「はい／いいえ」は英語の「Ｙｅｓ／Ｎｏ」に対応する二者択一の文字であるが、ボタンＢＴに「はい／いいえ」の表記がされている場合には、車載器２０が日本語で「はい／いいえ」と発話した場合と英語で「Ｙｅｓ／Ｎｏ」と発話した場合とでユーザは押すべきボタンＢＴを取り違えるおそれがあり混乱が生じる。
【００５６】
変換可能なコードではない場合（ステップＳ５３ｂ；Ｎ）、制御部１１は、デフォルトとして予め定められた二者択一の文字、図形又は色の情報を含む音声情報又はテキスト情報を生成して（ステップＳ５４ｂ）、音声情報又はテキスト情報の生成処理（３）を終了する。
【００５７】
ステップＳ５４ｂで生成される音声情報又はテキスト情報は、例えばステップＳ４で送信される音声情報又はテキスト情報と同様である。
【００５８】
変換可能なコードである場合（ステップＳ５３ｂ；Ｙ）、制御部１１は、コードに対応する二者択一の文字、図形又は色の情報を車載器が設定している言語に変換する（ステップＳ５５ｂ）。
つまり、「青／赤」を示すコード「６」や「１／２」を示すコード「４」である場合、制御部１１は、コードに対応する二者択一の文字、図形又は色を車載器が設定している言語、例えば英語の「Ｂｌｕｅ／Ｒｅｄ」や「ワン／ツー」に変換する。
【００５９】
制御部１１は、変換後の二者択一の文字、図形又は色の情報を含む音声情報又はテキスト情報を生成して（ステップＳ５６ｂ）、音声情報又はテキスト情報の生成処理（３）を終了する。
【００６０】
ステップＳ５２ｂに戻り、二者択一の文字、図形又は色を示すコードが複数ある場合（ステップＳ５２ｂ；Ｙ）、制御部１１は、車載器２０が設定している言語のテーブルＴ１又はＴ２に、二者択一の文字、図形又は色を示すコードと同じコードがあるか否か判断する（ステップＳ５７ｂ）。
【００６１】
車載器２０が設定している言語のテーブルＴ１又はＴ２が記憶部１４に記憶されていない場合（ステップＳ５７ｂ；Ｎ）、或いは記憶されている場合であっても二者択一の文字、図形又は色を示すコードと同じコードがない場合（ステップＳ５７ｂ；Ｎ）、制御部１１はステップＳ５３ｂに移行する。
ステップＳ５３ｂに移行した以降は、制御部１１は、ステップＳ５４ｂ又はステップＳ５６ｂの処理を行い、音声情報又はテキスト情報の生成処理（３）を終了する。
【００６２】
車載器２０が設定している言語のテーブルＴ１又はＴ２が記憶部１４に記憶されており、かつ二者択一の文字、図形又は色を示すコードと同じコードが一又は複数ある場合（ステップＳ５７ｂ；Ｙ）、制御部１１はステップＳ５８ｂに移行する。
制御部１１は、何れか一のコードに対応する二者択一の文字、図形又は色の情報を含む音声情報又はテキスト情報を生成することにより（ステップＳ５８ｂ）、音声情報又はテキスト情報の生成処理（３）を終了する。
【００６３】
以上のように、本発明によれば、車載器２０のボタンＢＴに表記されている二者択一の文字、図形又は色と同一の二者択一の文字、図形又は色の情報を含む音声情報又はテキスト情報を指示応答コマンドとともに車載器２０に送信することができる。車載器２０では、ボタンＢＴに表記されている二者択一の文字、図形又は色の情報を含む音声情報又はテキスト情報が再生されることになる。よって、ユーザは混乱することなく応答することができる。
【００６４】
また、二者択一の文字、図形又は色と予め定められたコードとが対応付けられたテーブルを記憶部１４により記憶しておき、コードに基づいて、車載器２０のボタンＢＴに表記されている二者択一の文字、図形又は色と同一の文字、図形又は色を決定することができる。
【００６５】
また、各国の言語ごとに複数のテーブルを記憶部１４により記憶しておき、コード及び車載器２０が設定している言語に基づいて、車載器２０のボタンＢＴに表記されている二者択一の文字、図形又は色と同一の文字、図形又は色を決定することができる。
【００６６】
また、車載器２０から送信されるクライアント情報に含まれるコードが複数ある場合、複数のコードのうち何れか一のコードに基づいて、車載器２０のボタンＢＴに表記されている二者択一の文字、図形又は色と同一の文字、図形又は色を決定することができる。
【００６７】
また、コード、車載器２０が設定している言語、車載器２０が再生可能な言語、に基づいて、車載器２０のボタンＢＴに表記されている二者択一の文字、図形又は色と同一の文字、図形又は色を決定することができる。
【００６８】
また、二者択一の文字、図形又は色は、例えば「はい／いいえ」、「Ｙｅｓ／Ｎｏ」、「ＯＫ／ＮＧ」、「〇／×」、「１／２」、「Ａ／Ｂ」、「青色／赤色」のうち何れかであり、こられの二者択一の文字、図形又は色が車載器２０のボタンＢＴに表記されている場合に、車載器２０のボタンＢＴに表記されている二者択一の文字、図形又は色と同一の二者択一の文字、図形又は色の情報を含む音声情報又はテキスト情報を指示応答コマンドとともに車載器２０に送信することができる。
【図面の簡単な説明】
【００６９】
【図１】路側無線装置の外観構成図である。
【図２】路側無線装置の内部構成図である。
【図３】テーブルの一例を示す図である。
【図４】クライアント情報の一例を示す図である。
【図５】路側無線装置の送受信処理を説明するフロー図である。
【図６】音声情報又はテキスト情報の生成処理（１）を説明するフロー図である。
【図７】音声情報又はテキスト情報の生成処理（２）を説明するフロー図である。
【図８】音声情報又はテキスト情報の生成処理（３）を説明するフロー図である。
【図９】車載器の外観構成図である。
【符号の説明】
【００７０】
１０    路側無線装置
１０ａ  本体装置
１０ｂ  アンテナ
１１    制御部
１２    入力部
１３    表示部
１４    記憶部
１５    通信部
２０    車載器
【図１】
2010152636.tif 000003
【図２】
2010152636.tif 000004
【図３】
2010152636.tif 000005
【図４】
2010152636.tif 000006
【図５】
2010152636.tif 000007
【図６】
2010152636.tif 000008
【図７】
2010152636.tif 000009
【図８】
2010152636.tif 000010
【図９】
2010152636.tif 000011